(57)【要約】      （修正有）【課題】取り外しができる椅子用組合式操作ロッドを提供する。【解決手段】椅子用組合式操作ロッドは、第１の接合ロッド６１と第２の接合ロッド６２とが対向接合されて構成される。第１の接合ロッド６１の一方の端部には、第１の接合部６３が設けられ、他方の端部には、グリップ６５が設けられる。第２の接合ロッド６２は、一方の端部が椅子に接続され、制御されることにより、椅子用の調整機構を駆動する。第２の接合ロッド６２の他方の端部には、第２の接合部６４が設けられる。第１の接合ロッド６１の第１の接合部６３は、第２の接合ロッド６２の第２の接合部６４に軸方向に対向接合される。第１の接合部６３及び第２の接合部６４に設けられる位置決め構造を制御して位置決め状態を解除すると、第２の接合部６４から第１の接合部６３を離脱させることができるようになる。【選択図】図４
0003182236.tif 000002
【実用新案登録請求の範囲】
【請求項１】
第１の接合ロッドと第２の接合ロッドとが対向接合されて構成される椅子用組合式操作ロッドであって、
前記第１の接合ロッドは、椅子の外側に突出し、前記第１の接合ロッドの一方の端部には、第１の接合部が設けられ、他方の端部には、グリップが設けられ、
前記第２の接合ロッドは、一方の端部が前記椅子に接続され、制御されることにより、椅子用の調整機構を駆動し、前記第２の接合ロッドの他方の端部には、第２の接合部が設けられ、
前記第１の接合ロッドの第１の接合部は、前記第２の接合ロッドの第２の接合部に軸方向に対向接合され、前記第１の接合部及び前記第２の接合部に位置決め構造が設けられることにより、前記第１の接合部と前記第２の接合部とは、軸方向に固定され、前記位置決め構造を制御して位置決め状態を解除すると、前記第２の接合ロッドの第２の接合部から前記第１の接合ロッドの第１の接合部を軸方向に離脱させることができるようになることを特徴とする椅子用組合式操作ロッド。
【請求項２】
前記第１の接合ロッドの第１の接合部上には、押圧されると内側に収縮する弾性突起が設けられ、前記第２の接合ロッドの第２の接合部は、中空管状であり、前記第１の接合部が軸方向に挿入され、前記第２の接合部上には、位置決め孔が設けられ、前記弾性突起が前記位置決め孔内部に嵌入される構造により、前記位置決め構造が構成されることを特徴とする請求項１に記載の椅子用組合式操作ロッド。
【請求項３】
前記第１の接合ロッドの第１の接合部は、矩形ロッドであり、前記第２の接合ロッドの第２の接合部は、前記第１の接合ロッドの第１の接合部に対応する矩形管であることを特徴とする請求項２に記載の椅子用組合式操作ロッド。
【請求項４】
前記第２の接合ロッドの第２の接合部には、挿入口が設けられ、前記挿入口の一方の側面には、前記第１の接合部の弾性突起をガイドして進入させるガイド溝が延伸されることを特徴とする請求項２に記載の椅子用組合式操作ロッド。
【考案の詳細な説明】
【技術分野】
【０００１】
本考案は、椅子用組合式操作ロッドに関し、特に、各種の椅子に適用される組合式操作ロッドに関する。
【背景技術】
【０００２】
一般に、従来の各種の椅子は、座席、背もたれ、肘掛、脚部などから構成される。また、座席高さ調整機構及び背もたれ傾斜角度調整機構が装着される。
【０００３】
従来の椅子の構造中、座席フレームと背もたれフレームとの隣り合う両側がヒンジによって枢着される。また、座席フレームと背もたれフレームとの間には、無段階位置決め式の空気圧シリンダが装着される。これにより、座席フレーム上の操作ロッドを操作し、空気圧シリンダのバルブロッドを駆動すると、空気圧シリンダのピストンロッドを伸縮動作させることができるようになる。これにより、背もたれフレームを揺動させ、位置決め角度を調整することができる。
【０００４】
従来の椅子は、運送に便利なように、製造後、出荷する前に脚部を取り外し、座席フレーム及び背もたれフレームを水平状態にして箱詰めする必要がある。しかし、操作ロッドが座席フレームの外側に突出する上、操作ロッドとグリップとを分離させることができない。このため、操作ロッドによって箱内の空間が占有され、箱詰め作業に支障をきたす上、コストが増加する。このため、上述の従来技術の欠点を改善することが求められていた。
【先行技術文献】
【特許文献】
【０００５】
【特許文献１】特開２００６−１３６４３７号公報
【考案の概要】
【考案が解決しようとする課題】
【０００６】
本考案の主な目的は、椅子を出荷する前に、操作ロッドの外部に露出する第１の接合ロッドを取り外すことができるため、第１の接合ロッド及びグリップが箱内の空間を占有するのを防止することができ、これにより、箱詰めに便利であり、箱内の空間を節約することができ、運送コストを低減することができる椅子用組合式操作ロッドを提供することにある。
【課題を解決するための手段】
【０００７】
上述の課題を解決するために、本考案の椅子用組合式操作ロッドは、第１の接合ロッドと第２の接合ロッドとが対向接合されて構成される。第１の接合ロッドは、椅子の外側に突出する。第１の接合ロッドの一方の端部には、第１の接合部が設けられ、他方の端部には、グリップが設けられる。第２の接合ロッドは、一方の端部が椅子に接続され、制御されることにより、椅子用の調整機構を駆動する。第２の接合ロッドの他方の端部には、第２の接合部が設けられる。第１の接合ロッドの第１の接合部は、第２の接合ロッドの第２の接合部に軸方向に対向接合される。第１の接合部及び第２の接合部に位置決め構造が設けられることにより、第１の接合部と第２の接合部とは、軸方向に固定される。また、位置決め構造を制御して位置決め状態を解除すると、第２の接合ロッドの第２の接合部から第１の接合ロッドの第１の接合部を軸方向に離脱させることができる。
【０００８】
第１の接合ロッドの第１の接合部上には、押圧されると内側に収縮する弾性突起が設けられる。第２の接合ロッドの第２の接合部は、中空管状であり、第１の接合部が軸方向に挿入される。第２の接合部上には、位置決め孔が設けられ、弾性突起が位置決め孔内部に嵌入される構造により、位置決め構造が構成される。
【０００９】
第１の接合ロッドの第１の接合部は、矩形ロッドである。また、第２の接合ロッドの第２の接合部は、第１の接合ロッドの第１の接合部に対応する矩形管である。
【００１０】
第２の接合ロッドの第２の接合部には、挿入口が設けられる。挿入口の一方の側面には、第１の接合部の弾性突起をガイドして進入させるガイド溝が延伸される。
【考案の効果】
【００１１】
位置決め構造を制御して位置決め状態を解除すると、第２の接合ロッドの第２の接合部から第１の接合ロッドの第１の接合部を軸方向に離脱させることができる。これにより、第１の接合ロッド及びグリップが箱内を占有するのを防止することができるため、椅子の箱詰めを便利に行うことができ、箱内の空間を節約することができ、運送コストを低減することができる。
【図面の簡単な説明】
【００１２】
【図１】本考案の一実施形態による背もたれ角度調整機構を示す斜視図である。
【図２】図１の使用状態を示す斜視図である。
【図３】図１のＡ部分を示す拡大図である。
【図４】図３の操作ロッドの第１の接合ロッドを取り外した状態を示す斜視図である。
【図５】図４の主要部材を示す分解斜視図である。
【図６】背もたれが垂直である際の状態を示す側面図である。
【図７】図６のＢ部分を示す拡大図である。
【図８】背もたれの角度を調整する際の状態を示す側面図である。
【図９】背もたれが水平である際の状態を示す側面図である。
【図１０】背もたれが水平である上、第１の接合ロッドを取り外した状態を示す斜視図である。
【考案を実施するための形態】
【００１３】
本考案の目的、特徴および効果を示す実施形態を図面に沿って詳細に説明する。
【００１４】
図１〜図７を参照する。本考案の椅子用組合式操作ロッドは、各種の椅子に適用され、制御されることにより、背もたれ角度調整機構を駆動する。図１〜図７に示すように、椅子は、座席フレーム１、背もたれフレーム２、無段階位置決め式の空気圧シリンダ３、脚部４、接続台５及び操作ロッド６を含む。操作ロッド６を揺動することにより、背もたれ角度調整機構を駆動し、背もたれの角度を調整することができる。また、操作ロッド６は、迅速に取り外すことができるため、椅子の箱詰めに便利である。
【００１５】
座席フレーム１は、座席フレーム１上に固定される座席１１を有する（図２参照）。座席フレーム１上には、固定台１２及び枢着孔１３が設けられる。また、座席フレーム１の底部には、脚部４を連結することができる。
【００１６】
背もたれフレーム２は、背もたれフレーム２に固定される背もたれ２１を有する（図２参照）。また、挿入ピン２３によって背もたれフレーム２が座席フレーム１上に枢着されることにより、背もたれ２１と座席１１との間には、挟角が形成される。
【００１７】
無段階位置決め式の空気圧シリンダ３は、座席フレーム１と背もたれフレーム２との間に枢着される。空気圧シリンダ３は、挿入ピン３２によって背もたれフレーム２の対向する枢着台２２に枢着されるシリンダ３１と、シリンダ３１に対して伸縮するピストンロッド３３と、保護カバー３６と、ピストンロッド３３内部に設置され、外部に突出するバルブロッド３５と、を有する。バルブロッド３５の端部が押圧されると、空気圧シリンダ３が調整状態となり、バルブロッド３５の押圧が解除されると、空気圧シリンダ３がロック状態となる（空気圧シリンダ３及びバルブロッド３５の作動原理は、本考案の範囲ではないため、ここでは説明しない）。
【００１８】
接続台５は、ピストンロッド３３の突出端に連結される。接続台５には、ねじ穴５２及びストッパロッド５６が設けられる。空気圧シリンダ３のピストンロッド３３の突出端には、ねじ山３４が設けられる。ねじ山３４は、接続台５のねじ穴５２に螺着される。また、接続台５の両側壁５１の端部及び座席フレーム１の固定台１２には、互いに対向する枢着孔１３，５３が設けられる。枢着孔１３，５３には、挿入ピン１４が枢着される上、係合部材１５が係合される。また、接続台５には、折曲辺５７が設けられる。固定台１２に折曲辺５７上面に当接されるストッパ辺１６が設けられることにより、接続台５の揺動範囲が限定される。
【００１９】
操作ロッド６は、接続台５の両側壁５１の対向する貫通孔５４に貫通され、枢着される。操作ロッド６のバルブロッド３５の突出端に対向する部分には、ブロック部６６が設けられる。図７に示すように、操作ロッド６の一方の端部は、接続台５と挿入ピン１４との間に連結される上、外周にブロック部６６が突出する。また、接続台５の一方の側壁５１の貫通孔５４には、外部方向に延伸孔５５が設けられ、操作ロッド６及びブロック部６６が軸方向に挿入される。
【００２０】
椅子は、座席フレーム１、背もたれフレーム２、無段階位置決め式の空気圧シリンダ３、脚部４、接続台５及び操作ロッド６が組み合わされて構成される。操作ロッド６を揺動させ、ブロック部６６の一方の側部でバルブロッド３５の突出端を押圧すると（図８参照）、シリンダ３１に対し、ピストンロッド３３を伸縮させることができるようになる（図６〜図１０参照）。これにより、空気圧シリンダ３、接続台５及び操作ロッド６を固定台１２及び挿入ピン１４に対して揺動移動させることにより、背もたれの角度を無段階調整することができる。
【００２１】
図１〜図７に示すように、本考案の椅子に用いられる操作ロッド６は、第１の接合ロッド６１と第２の接合ロッド６２とが対向接合されて構成される。第１の接合ロッド６１は、椅子の外側に突出する。第１の接合ロッド６１の一方の端部には、矩形ロッドである第１の接合部６３が設けられ、他方の端部には、グリップ６５が設けられる。第２の接合ロッド６２の他方の端部には、第１の接合部６３に対応する矩形中空管である第２の接合部６４が設けられる。第２の接合部６４の挿入口６４１の一方の側面には、ガイド溝６４２が延伸して設けられる。第１の接合ロッド６１の第１の接合部６３は、第２の接合ロッドの第２の接合部６４に軸方向に挿入され、対向接合される。第１の接合部６３上には、押圧されると内側に収縮する弾性突起６７が設けられる。弾性突起６７は、ガイド溝６４２にガイドされて進入し、第２の接合部６４の位置決め孔６８に係合されることにより、軸方向に固定される。弾性突起６７及び弾性板６７１（図４参照）は、下方に押圧されると、位置決め状態を解除し、位置決め孔６８から離脱する。これにより、第２の接合ロッド６２の第２の接合部６４から第１の接合ロッド６１の第１の接合部６３を（図４及び図１０参照）軸方向に離脱させることができる。これにより、第１の接合ロッド６１及びグリップ６５が箱内を占有するのを防止することができるため、椅子の箱詰めを便利に行うことができ、箱内の空間を節約することができ、運送コストを低減することができる。
【００２２】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２３】
１  座席フレーム
１１  座席
１２  固定台
１３  枢着孔
１４  挿入ピン
１５  係合部材
１６  ストッパ辺
２  背もたれフレーム
２１  背もたれ
２２  枢着台
２３  挿入ピン
３  空気圧シリンダ
３１  シリンダ
３２  挿入ピン
３３  ピストンロッド
３４  ねじ山
３５  バルブロッド
３６  保護カバー
４  脚部
５  接続台
５１  側壁
５２  ねじ穴
５３  枢着孔
５４  貫通孔
５５  延伸孔
５６  ストッパロッド
５７  折曲辺
６  操作ロッド
６１  第１の接合ロッド
６２  第２の接合ロッド
６３  第１の接合部
６４  第２の接合部
６５  グリップ
６６  ブロック部
６７  弾性突起
６８  位置決め孔
６４１  挿入口
６４２  ガイド溝
６７１  弾性板
【図１】
0003182236.tif 000003
【図２】
0003182236.tif 000004
【図３】
0003182236.tif 000005
【図４】
0003182236.tif 000006
【図５】
0003182236.tif 000007
【図６】
0003182236.tif 000008
【図７】
0003182236.tif 000009
【図８】
0003182236.tif 000010
【図９】
0003182236.tif 000011
【図１０】
0003182236.tif 000012